(57)【要約】【課題】１つのセンサで、複数の流路から異常の流路を特定可能な内視鏡洗浄装置を提供する。【解決手段】内視鏡洗浄装置１０は、供給側及び供給先の少なくとも一方に複数設置された流路２５〜２７，３４〜３７と、処理液の流れが正常、異常かを検出する流水センサ３０と、供給側の流路２５〜２７と供給先の流路３４〜３７との組合せを、互いに一部が共通するように複数選択し、これら選択した複数の流路が流水センサ３０からの検出結果に基づいて共通して正常であるか、あるいは異常であるかを判定し、複数の流路から異常の流路を判定する判定部としての制御部５０と、供給側から供給先へ供給する処理液を導入して内視鏡を洗浄又は消毒する洗浄槽１３と、を備える。【選択図】図３
2019187886.tif 000002
【特許請求の範囲】
【請求項１】
供給側から供給先へ処理液を供給する供給ポンプと、
前記供給側及び前記供給先の少なくとも一方に複数設置されて前記処理液を通過させる流路と、
前記供給側と前記供給先の流路を接続する接続経路と、
前記接続経路に設置され、前記処理液の通水時間を検出し、この通水時間があらかじめ設定した時間を超えた場合に正常と判定し、前記設定した時間以下の場合に異常と判定する流水センサと、
前記供給側の流路と前記供給先の流路との組合せを、互いに一部が共通するように複数選択し、これら選択した複数の流路が前記流水センサからの検出結果に基づいて共通して正常であるか、あるいは異常であるかを判定し、前記複数の流路から異常の流路を判定する判定部と、
前記供給側から前記供給先へ供給する前記処理液を導入して内視鏡を洗浄又は消毒する洗浄槽と、
を備えることを特徴とする内視鏡洗浄装置。
【発明の詳細な説明】
【技術分野】
【０００１】
本発明は、使用済みの内視鏡を洗浄するための内視鏡洗浄装置に関する。
【背景技術】
【０００２】
従来、使用済みの内視鏡を洗浄槽に収納して洗浄や消毒を行う内視鏡洗浄装置が提案されている。このような内視鏡洗浄装置では、例えば特許文献１に記載された技術がある。
【０００３】
特許文献１に記載された技術は、洗浄槽の外側に排出口につながる廃水用水槽と、この廃水用水槽から廃水を排出可能なポンプと、このポンプによる排出量を検出する手段とが設けられている。したがって、この技術では、一洗浄当たりの廃水量を、ポンプの稼働時間から検出することで、計算上の洗浄水使用量と対比して洗浄過程が正常であるか否かを通報するようにしている。
【先行技術文献】
【特許文献】
【０００４】
【特許文献１】特許第３８２３１７１号公報
【発明の概要】
【発明が解決しようとする課題】
【０００５】
上述した特許文献１に記載された技術は、廃水用水槽の初期貯水量によってポンプの動作開始タイミングが変化してしまうため、細かい異常は見落とされる可能性がある。また、特許文献１に記載された技術は、洗浄過程において、洗浄が正常に終了したか否かを判断することはできたとしても、異常があった場所を特定することができないという問題がある。
【０００６】
本発明はこのような問題に鑑みてなされたものであり、１つのセンサで、複数の流路から異常の流路を特定可能な内視鏡洗浄装置を提供することを課題としている。
【課題を解決するための手段】
【０００７】
かかる課題を達成するために、本発明が特徴とするのは、供給側から供給先へ処理液を供給する供給ポンプと、前記供給側及び前記供給先の少なくとも一方に複数設置されて前記処理液を通過させる流路と、前記供給側と前記供給先の流路を接続する接続経路と、前記接続経路に設置され、前記処理液の通水時間を検出し、この通水時間があらかじめ設定した時間を超えた場合に正常と判定し、前記設定した時間以下の場合に異常と判定する流水センサと、前記供給側の流路と前記供給先の流路との組合せを、互いに一部が共通するように複数選択し、これら選択した複数の流路が前記流水センサからの検出結果に基づいて共通して正常であるか、あるいは異常であるかを判定し、前記複数の流路から異常の流路を判定する判定部と、前記供給側から前記供給先へ供給する前記処理液を導入して内視鏡を洗浄又は消毒する洗浄槽と、を備えるように構成されていることである。
【発明の効果】
【０００８】
本発明に係る内視鏡洗浄装置では、供給側の流路と供給先の流路との組合せを、互いに一部が共通するように複数選択し、これら選択した複数の流路が流水センサからの検出結果に基づいて共通して正常であるか、あるいは異常であるかを判定し、複数の流路から異常の流路を判定するため、１つのセンサで、複数の流路から異常の流路を特定することが可能になる。また、１つのセンサで済むため、コストを抑えて制御を簡素化することができる。
【０００９】
また、供給側と供給先の流路を接続する接続経路を有し、この接続経路に流水センサを設置するため、１つの接続経路で済み、構造を簡素化することができる。
【００１０】
また、流水センサは、処理液の通水時間を検出し、この通水時間があらかじめ設定した時間を超えた場合に正常と判定し、設定した時間以下の場合に異常と判定するため、流量を測定しなくても異常を判定できることから、高価なセンサを用いなくて済む。
【図面の簡単な説明】
【００１１】
【図１】本発明の実施形態の内視鏡洗浄装置において開閉カバーを取り除いた状態を示す概略斜視図である。
【図２】同実施形態において開閉カバーを取り除いた状態を示す概略縦断面図である。
【図３】本発明の実施形態の内視鏡洗浄装置を示す系統図である。
【図４】本発明の実施形態の供給側と供給先の流路の組合せ例を示す説明図である。
【図５】本発明の実施形態の供給側と供給先の流路の組合せの一例から異常を検出する場合を示す説明図である。
【図６】本発明の実施形態の供給側と供給先の流路の組合せの他の例から異常を検出する場合を示す説明図である。
【図７】本発明の実施形態の各種電磁弁において流水センサが検知した累計時間を示す図である。
【図８】本発明の実施形態の内視鏡洗浄装置の実際の機器の運転工程における異常判定結果の例を示す図である。
【発明を実施するための形態】
【００１２】
以下、本発明の実施形態の内視鏡洗浄装置について図１及び図２を用いて説明する。
【００１３】
（内視鏡洗浄装置）
本実施形態の内視鏡洗浄装置１０は、内視鏡１１の洗浄、消毒を自動的に行うものである。内視鏡洗浄装置１０は、図１及び図２に示すように正面側が凹形状に形成され、内視鏡１１が長手方向を鉛直方向として上下に向けて収容されて支持される洗浄槽１３を備えている。この洗浄槽１３は縦長形状を有し、正面開口１３ａ及び底面壁１３ｂは前下がりに傾斜して設けられ、上部側より下部側の勾配が大きく形成されている。また、正面開口１３ａは図示しない透明の開閉カバーにより覆われている。
【００１４】
図２に示すように、洗浄槽１３の底面壁１３ｂには、内視鏡１１を収納して支持する収納位置としての内視鏡支持部１５が設けられている。この内視鏡支持部１５は、操作部１１ａを上方、挿入部１１ｂを下方にして内視鏡１１を立てた状態で支持可能に形成されている。
【００１５】
洗浄槽１３の上部には、図２に示すように酸性電解水（以下、酸性水ともいう。）、アルカリ性電解水（以下、アルカリ水ともいう。）、水（以下、浄水ともいう。）等の洗浄液、エアー等の各種流動体、さらには図示しないワイヤブラシ等の洗浄部材を内視鏡１１の内部に導入するための上部導入部１７が設けられている。
【００１６】
また、洗浄槽１３内の所定位置には、図示しない噴射口が複数設置されている。これらの噴射口には、ホース等の供給手段が接続されている。この供給手段を通して上記噴射口には、ポンプを駆動することによってタンクから上記各種流動体が供給される。
【００１７】
本実施形態では、上述した複数の噴出口から内視鏡１１の外側に酸性電解水、アルカリ性電解水、水等の洗浄液を噴射して洗浄するように構成されている。
【００１８】
このように構成された内視鏡洗浄装置１０は、まず、内視鏡１１を内視鏡支持部１５に配置し、図示しない開閉カバーを閉じて、洗浄工程を開始する。この洗浄工程では、まず、内視鏡１１の外側に対して複数の噴射口からそれぞれ水道水が所定時間噴射された後、同じく複数の噴射口からそれぞれアルカリ性電解水が所定時間噴射される。この間に、上部導入部１７にて内視鏡内部の洗浄が同時に行われるが、詳細については省略する。
【００１９】
内視鏡１１の外側にアルカリ性電解水を噴射後、次に消毒工程を行う。この消毒工程では、同じく複数の噴射口からそれぞれ酸性電解水が所定時間噴射される。
【００２０】
次いで、消毒工程の終了後、すすぎ工程を行う。このすすぎ工程では、同じく複数の噴射口からそれぞれ水道水が所定時間噴射される。その後、図示しない送風手段によりエアーを供給して乾燥工程を行い、全工程を終了する。
【００２１】
（内視鏡洗浄装置の制御装置）
次に、図１及び図２に示す内視鏡洗浄装置１０の制御装置について説明する。
【００２２】
図３は本発明の実施形態の内視鏡洗浄装置を示す系統図である。なお、図３において、実線は処理液の流れを示し、破線は電気的な信号の流れを示している。また、図１及び図２に示す内視鏡洗浄装置１０と同一の部分には、同一の符号を用いて説明する。
【００２３】
本実施形態の制御装置２０は、図２に示すように例えば内視鏡洗浄装置１０内に設置されている。内視鏡洗浄装置１０は、図３に示すように電気分解槽２１を有する。この電気分解槽２１は、所定濃度の食塩水を電気分解し、所定のｐＨ値の酸性電解水（以下、酸性水という。）と、所定のｐＨ値のアルカリ性電解水（以下、アルカリ水という。）を生成する。これらの酸性水とアルカリ水は、それぞれ酸性水槽２２とアルカリ水槽２３に供給される。内視鏡洗浄装置１０は、水道水が供給源となる浄水槽２４を備えている。なお、以下の説明において、酸性水、アルカリ水及び浄水を総称する場合には、処理液という。
【００２４】
酸性水槽２２は酸性水流路２５を経て、アルカリ水槽２３はアルカリ水流路２６を経て、浄水槽２４は浄水流路２７を経て、それぞれ１つの接続経路２８に接続されている。この接続経路２８には、供給ポンプ２９及び流水センサ３０が設置されている。流水センサ３０は、供給ポンプ２９付近に設置されている。
【００２５】
流水センサ３０には、例えばフラッパ式センサが用いられる。このフラッパ式センサは、処理液が流れて設定流量になると、フラッパが押し上げられて開となり、フラッパ内の永久磁石がスイッチ板内のリードスイッチの接点を接触するように動作させる。また、流量が減少すると、フラッパは下降して閉じてリードスイッチの接点が離れるように動作する。
【００２６】
本実施形態では、流水センサ３０が開状態になっている時間、すなわち流水センサ３０が処理液を検知した通水時間を計測し、この通水時間を通常時の通水時間と比較する。そして、通水時間が例えば通常時の半分以下になった場合には、異常と判定している。また、通水時間が例えば通常時の半分を超えている場合には、正常と判定する。
【００２７】
ここで、流水センサ３０は、図示しないタイマーを内蔵している。このタイマーは、流水センサ３０が処理液を検知している時間、すなわち通水時間を計測する。流水センサ３０の検出信号は、判定部としての機能を有する制御部５０に出力される。
【００２８】
酸性水流路２５は、酸性水の供給側の流路となり、アルカリ水流路２６は、アルカリ水の供給側の流路となり、そして浄水流路２７は、浄水の供給側の流路となる。
【００２９】
酸性水流路２５は、配管と酸性水電磁弁３１を備える。アルカリ水流路２６は、配管とアルカリ水電磁弁３２を備える。浄水流路２７は、配管と浄水電磁弁３３を備える。
【００３０】
接続経路２８は、複数（本実施形態では４つ）の供給先となる流路に分岐されている。具体的には、接続経路２８は、管路流路３４、採水流路３５、第１ノズル流路３６、及び第２ノズル流路３７に分岐されている。
【００３１】
管路流路３４は、配管と管路電磁弁３８を備える。採水流路３５は、配管と採水電磁弁３９を備える。第１ノズル流路３６及び第２ノズル流路３７は、それぞれ配管と第１ノズル電磁弁４０、第２ノズル電磁弁４１を備える。
【００３２】
さらに、管路流路３４は、５つの流路に分岐され、これらの流路を介して洗浄槽１３に接続されている。採水流路３５は、１つの流路を介して洗浄槽１３に接続されている。第１ノズル流路３６及び第２ノズル流路３７は、それぞれ４つの流路に分岐され、これらの流路を介してそれぞれ洗浄槽１３に接続されている。
【００３３】
洗浄槽１３内には、管路流路３４に接続された管路部４３、採水流路３５に接続された採水部４４、第１ノズル流路３６に接続された第１ノズル４５、及び第２ノズル流路３７に接続された第２ノズル４６が設置されている。
【００３４】
管路部４３は、洗浄槽１３内に収納された内視鏡１１にワイヤブラシ等の洗浄部材を内視鏡１の内部に導入する。採水部４４は、浄水槽２４からの浄水や気体を内視鏡１１に供給する。第１ノズル４５は、浄水、酸性水、アルカリ水を内視鏡１１に供給する。第２ノズル４６は、浄水槽２４からの浄水や気体を内視鏡１１に供給する。
【００３５】
流水センサ３０は、上述したように供給側の酸性水流路２５、アルカリ水流路２６、又は浄水流路２７と、供給先の管路流路３４、採水流路３５、第１ノズル流路３６又は第２ノズル流路３７との間で処理液としての酸性水、アルカリ水又は浄水の流れが正常であるか、異常であるかを検出する。
【００３６】
本実施形態の制御装置２０は、流水センサ３０と、供給側に設置された酸性水電磁弁３１、アルカリ水電磁弁３２、浄水電磁弁３３と、供給先に設置された管路電磁弁３８、採水電磁弁３９、第１ノズル電磁弁４０、及び第２ノズル電磁弁４１と、制御部５０と、を備える。そのため、酸性水、アルカリ水、又は浄水は、供給側に設置された電磁弁と、供給先に設置された電磁弁の２つの電磁弁を経て洗浄槽１３に供給される。
【００３７】
制御部５０は、供給側に設置された酸性水電磁弁３１、アルカリ水電磁弁３２、及び浄水電磁弁３３に制御信号を出力し、これらを開閉制御する。同様に、制御部５０は、供給先に設置された管路電磁弁３８、採水電磁弁３９、第１ノズル電磁弁４０、及び第２ノズル電磁弁４１に制御信号を出力し、これらを開閉制御する。
【００３８】
制御部５０は、ＣＰＵ（Central Processing Unit）、ＲＡＭ（Random Access Memory）、記録媒体としてのＲＯＭ（Read Only Memory）、Ｉ／Ｏ(Input / Output)等を備えた周知のマイクロコンピュータを中心に構成された制御装置である。
【００３９】
このうち、上記ＲＯＭは、電源を切断しても記憶内容を保持する必要のあるデータやプログラムを記憶する。上記ＲＡＭは、データを一時的に格納する。上記ＣＰＵは、上記ＲＯＭにインストールされているプログラムを実行することで各機能を実現する。記録媒体には、上記ＲＯＭ以外に例えば、ＤＶＤ−ＲＯＭ（Digital Versatile Disk Read Only Memory）、ＣＤ−ＲＯＭ（Compact Disc Read Only Memory）、ハードディスク等のコンピュータ読み取り可能な電子媒体を含む。
【００４０】
図４は本発明の実施形態の供給側と供給先の流路の組合せ例を示す説明図である。なお、本実施形態では、供給側の流路と供給先の流路とは、例えば６パターンの組合せが可能となる。
【００４１】
具体的には、図４に示すように、供給側の浄水流路２７は、供給先の第１ノズル流路３６、第２ノズル流路３７、採水流路３５、及び管路流路３４とそれぞれ組み合わせることができる。また、供給側の酸性水流路２５及びアルカリ水流路２６は、それぞれ供給先の第１ノズル流路３６と組み合わせることができる。これらの組合せのデータは、制御部５０のＲＯＭにあらかじめ記憶されている。同様に、組合せのデータ判定順序もＲＯＭにあらかじめ記憶されている。
【００４２】
このように本実施形態では、供給側の流路と供給先の流路との組合せを互いに一部が共通するように複数選択する。そして、これら選択した複数の流路が流水センサ３０からの検出結果に基づいて共通して正常であるか、あるいは異常であるかを判定し、複数の流路から異常の流路を判定するものである。
【００４３】
次に、複数の流路から異常の流路を判定するための具体例を説明する。
【００４４】
図５は本発明の実施形態の供給側と供給先の流路の組合せの一例から異常を検出する場合を示す説明図である。なお、図５において、〇は正常、×は異常であることを示している。
【００４５】
図５に示すように、まず、制御部５０は、第１の流路の組合せとして供給側の浄水流路２７に設置された浄水電磁弁３３が作動するように選択するとともに、供給先の管路流路３４に設置された管路電磁弁３８が作動するように選択する。そして、流水センサ３０が異常であることを検出した場合には、制御部５０は、供給側の浄水流路２７又は供給先の管路流路３４に異常があったと判定する。
【００４６】
次いで、制御部５０は、第２の流路の組合せとして供給側の浄水流路２７に設置された浄水電磁弁３３が作動するように選択するとともに、供給先の採水流路３５に設置された採水電磁弁３９が作動するように選択する。そして、流水センサ３０が正常であることを検出した場合には、制御部５０は、供給側の浄水流路２７及び供給先の採水流路３５の双方が正常であると判定する。
【００４７】
この場合、供給側の浄水流路２７は、互いに異なる第１の流路の組合せと第２の流路の組合せにおいて共通している。供給先の管路流路３４と採水流路３５とが非共通となる。そして、上記のように第２の流路の組合せにおいて供給側の浄水流路２７及び供給先の採水流路３５の双方が正常であると判定されていることから、管路流路３４に異常があったと判定する。
【００４８】
図６は本発明の実施形態の供給側と供給先の流路の組合せの他の例から異常を検出する場合を示す説明図である。なお、図６においても、〇は正常、×は異常であることを示している。
【００４９】
図６に示すように、まず、制御部５０は、第１の流路の組合せとして供給側の浄水流路２７に設置された浄水電磁弁３３が作動するように選択するとともに、供給先の管路流路３４に設置された管路電磁弁３８が作動するように選択する。そして、流水センサ３０が異常であることを検出した場合には、制御部５０は、供給側の浄水流路２７又は供給先の管路流路３４に異常があったと判定する。
【００５０】
次いで、制御部５０は、第２の流路の組合せとして供給側の酸性水流路２５に設置された酸性水電磁弁３１が作動するように選択するとともに、供給先の管路流路３４に設置された管路電磁弁３８が作動するように選択する。そして、流水センサ３０が正常であることを検出した場合には、制御部５０は、供給側の酸性水流路２５及び供給先の管路流路３４の双方が正常であると判定する。
【００５１】
この場合、供給先の管路流路３４は、互いに異なる第１の流路の組合せと第２の流路の組合せにおいて共通している。供給側の浄水流路２７と酸性水流路２５とが非共通となる。そして、上記のように第２の流路の組合せにおいて供給側の酸性水流路２５及び供給先の管路流路３４の双方が正常であると判定されていることから、浄水流路２７に異常があったと判定する。
【００５２】
したがって、本実施形態では、複数の流路の組合せにおいて、供給側の電磁弁と供給先の電磁弁の組合せを互いに一部が共通の電磁弁を複数選択する。これら選択した複数の電磁弁において、正常と異常が発生したときに、異常に含まれる非共通の流路に異常があると判定する。
【００５３】
図７は本発明の実施形態の各種電磁弁において流水センサが検知した累計時間を示す図である。なお、図７における数値は、流水センサ３０が処理液を検知した累計時間を示しており、０．１秒につき１カウントとして示している。また、図７の理論値は、理論上求められる数値である。
【００５４】
なお、本実施形態では、上述したように流水センサ３０が処理液を検知した通水時間を計測し、この通水時間を通常時の通水時間と比較し、通水時間が例えば通常時の半分以下になった場合には、異常と判定し、通水時間が例えば通常時の半分を超えている場合には、正常と判定している。
【００５５】
図７に示すように、浄水電磁弁３３は、その検知タイミングが浄水噴霧中２分間であり、流水センサ３０の累計時間をカウント数として示すと、理論値が１２００、通常時（実測値）が１２２０、電磁弁故障時には、２３となる。
【００５６】
酸性水電磁弁３１及びアルカリ水電磁弁３２は、その検知タイミングが酸噴霧及びアルカリ水噴霧でそれぞれ３０秒間であり、それぞれ理論値が３００、通常時（実測値）が２７９、電磁弁故障時には、１５となる。
【００５７】
管路電磁弁３８は、その検知タイミングがブラシ目視確認の１０秒間であり、理論値が１００、通常時（実測値）が８６、電磁弁故障時には、５となる。
【００５８】
採水電磁弁３９、第１ノズル電磁弁４０、及び第２ノズル電磁弁４１は、その検知タイミングがそれぞれ送気中５秒間であり、それぞれ理論値が５０、通常時（実測値）が２１、５８、５８、電磁弁故障時には、それぞれ０となる。
【００５９】
図７によれば、流水センサ３０が処理液を検知した累計時間において、実測値は理論値から著しく相違はしていない。しかし、各電磁弁が故障した場合の結果は、通常時から大幅に数値が減少していることが分かる。このように本実施形態の電磁弁は、通常時、閉じた状態のものを使用しているので、故障すると閉じた状態になる。
【００６０】
このような結果に基づいて、各電磁弁が正常であるか、異常であるかの判定は、上述したように累計時間、すなわち通水時間が例えば通常時の半分以下になった場合には、異常と判定し、通水時間が例えば通常時の半分を超えている場合には、正常と判定する。
【００６１】
この場合、正常か異常かの判定基準は、任意に設定可能であるが、洗浄のために必要な流量の最低値と通常時の流量を対比して決定すればよい。
【００６２】
次に、実際の運転工程における異常判定結果の例について説明する。
【００６３】
図８は本発明の実施形態の内視鏡洗浄装置の実際の機器の運転工程における異常判定結果の例を示す図である。なお、図８は運転工程中で異常を判定する場合を示している。図８において、〇印は各工程でその電磁弁が作動していることを示している。
【００６４】
図８に示すように、実際の機器の運転工程では、浄水噴霧工程、酸性水噴霧工程、アルカリ水噴霧工程、目視確認工程、及び送気中を有している。浄水噴霧工程では、浄水電磁弁３３又は各流路での異常を判定する。酸性水噴霧工程では、酸性水電磁弁３１又は各流路での異常を判定する。アルカリ水噴霧工程では、アルカリ水電磁弁３２又は各流路での異常を判定する。
【００６５】
目視確認工程、送気中に異常がある場合は、それぞれの流路又は浄水電磁弁３３に異常があると判定する。
【００６６】
また、酸性水噴霧工程とアルカリ水噴霧工程において、図７に示すカウント数が同程度に減少している場合は、各流路での異常、流路毎に異常個所を特定することは、目視確認工程、送気中の判定結果から個別に判定する。
【００６７】
なお、本実施形態では、図４に示す供給側と供給先の流路の最低限の組合せを、洗浄工程とは別に実施してもよいが、図８に示すように洗浄工程内の差異を利用することで、確認時間を短縮することができる。
【００６８】
このように本実施形態によれば、供給側の流路と供給先の流路との組合せを、互いに一部が共通するように複数選択し、これら選択した複数の流路が流水センサ３０からの検出結果に基づいて共通して正常であるか、あるいは異常であるかを判定し、複数の流路から異常の流路を判定するため、１つのセンサで、複数の流路から異常の流路を特定することが可能になる。また、１つのセンサで済むため、コストを抑えて制御を簡素化することができる。
【００６９】
また、本実施形態によれば、供給側と供給先の流路を接続する接続経路２８を有し、この接続経路２８に流水センサ３０を設置するため、１つの接続経路２８で済み、構造を簡素化することができる。
【００７０】
また、流水センサ３０は、処理液の通水時間を検出し、この通水時間があらかじめ設定した時間を超えた場合に正常と判定し、設定した時間以下の場合に異常と判定するため、流量を測定しなくても異常を判定できることから、高価なセンサを用いなくて済む。
【００７１】
また、流水センサ３０は、流路の異常を判定する判定基準を流路毎に変更可能となるため、大まかな異常から細かい異常まで幅広い範囲の異常を判定することが可能となる。
【００７２】
また、制御部５０は、各電磁弁に制御信号を出力して開閉制御し、供給側と供給先の流路の組合せを複数選択するため、供給側と供給先の流路の組合せの選択を容易に行うことができる。
【００７３】
また、供給側から供給先へ供給する処理液を複数の種類の処理液としたので、処理液の適用範囲が広くなり、汎用性を高めることができる。
【００７４】
また、上記系統異常検出装置と、供給側から供給先へ供給する処理液を導入して内視鏡を洗浄又は消毒する洗浄槽と、を備えることにより、１つのセンサで、複数の流路から異常の流路を特定することが可能になるため、異常時に確実かつ容易に対応することが可能になる。
【００７５】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更、組み合わせを行うことができる。この実施形態は、発明の範囲や要旨に含まれると同様に、特許請求の範囲に記載された発明とその均等の範囲に含まれるものである。
【００７６】
なお、上記実施形態では、流水センサ３０が処理液を検知した通水時間を計測し、この通水時間を通常時の通水時間と比較し、通水時間が例えば通常時の半分以下になった場合には、異常と判定し、通水時間が例えば通常時の半分を超えている場合には、正常と判定したが、これに限定されない。異常、正常の判定基準は、通水時間があらかじめ設定した時間以下の場合に異常と判定し、設定した時間を超えた場合に正常と判定すればよい。
【００７７】
また、上記実施形態では、供給側と供給先の流路の組合せを２通り選択した例について説明したが、これに限定することなく、それ以上の複数の組合せを選択してもよい。
【符号の説明】
【００７８】
１０…内視鏡洗浄装置
１１…内視鏡
１３…洗浄槽
１５…内視鏡支持部
１７…上部導入部
２０…制御装置
２１…電気分解槽
２２…酸性水槽
２３…アルカリ水槽
２４…浄水槽
２５…酸性水流路
２６…アルカリ水流路
２７…浄水流路
２８…接続経路
２９…供給ポンプ
３０…流水センサ
３１…酸性水電磁弁
３２…アルカリ水電磁弁
３３…浄水電磁弁
３４…管路流路
３５…採水流路
３６…第１ノズル流路
３７…第２ノズル流路
３８…管路電磁弁
３９…採水電磁弁
４０…第１ノズル電磁弁
４１…第２ノズル電磁弁
４３…管路部
４４…採水部
４５…第１ノズル
４６…第２ノズル
５０…制御部（判定部）
【図１】
2019187886.tif 000003
【図２】
2019187886.tif 000004
【図３】
2019187886.tif 000005
【図４】
2019187886.tif 000006
【図５】
2019187886.tif 000007
【図６】
2019187886.tif 000008
【図７】
2019187886.tif 000009
【図８】
2019187886.tif 000010